(57)【要約】      （修正有）【課題】ナット素体の袋頭部に残った穴部を簡単かつ容易に閉鎖できる袋ナットの穴部閉鎖装置を提供する。【解決手段】支持部材３に、穴部付き袋頭部１２を有するナット素体を袋頭部１２が露出するよう支持するナットケース４を軸受５を介して回転自由に支持する。ナット素体内に挿抜可能に挿入されかつ先端に袋頭部１２内面に符合する凸状湾曲面６１ａをもつ小径軸部６１とナット素体１０の座面１１ｂに当接する段部６２ａをもつ大径軸部６２とからなる押付回転軸６をナットケース４の軸芯方向に進退可能に設ける。支持部材３に袋頭部１２の外側面に符合する凹状湾曲成形面７ａを有するバイト体７を露出する袋頭部の一側外方からその軸芯に向かって移動可能に支持する。バイト体７の凹状湾曲成形面７ａを袋頭部１２の一側外方から少なくともその中心まで移行させる移動手段８を設けた。【選択図】図３
0003160391.tif 000002
【実用新案登録請求の範囲】
【請求項１】
袋頭部に残った穴部を閉鎖するための袋ナットの穴部閉鎖装置であって、支持部材に穴部が残った袋頭部を有するナット素体をその袋頭部が露出するように支持するナットケースが軸受を介して回転自由に支持されていると共に、ナットケースに支持されたナット素体内に挿抜可能に挿入されかつ先端に袋頭部内面に符合する凸状湾曲面をもつ小径軸部とナット素体の座面に当接する段部をもつ大径軸部とからなる押付回転軸がナットケースの軸芯方向に進退可能に設けられている一方、支持部材に袋頭部における外側面に符合する凹状湾曲成形面を有するバイト体がナットケースから露出した袋頭部の一側外方からその軸芯に向かって垂直状に移動可能に支持され、かつ、バイト体の凹状湾曲成形面を袋頭部の一側外方から少なくともその中心まで移行させる移動手段が備えられた構成となっており、ナット素体が押付回転軸の前進によりナットケースに押し付けられて支持されると共に一体回転され、その回転状態のもとでバイト体が移動手段により袋頭部の一側外方から少なくともその中心まで移行されることにより、凹状湾曲成形面の先端部分と押付回転軸の凸状湾曲部とで袋頭部の穴部が潰されて閉鎖されることを特徴とする袋ナットの穴部閉鎖装置。
【請求項２】
押付回転軸の段部とナット素体の座面とのうち、いずれか一方に係合凹所が、他方に係合突部が形成され、これら係合凹所の係合突起への係合により押付回転軸とナット素体との芯出しが行えながら一体回転可能に結合し得るように構成されていることを特徴とする請求項１記載の袋ナットの穴部閉鎖装置。
【請求項３】
押付回転軸が正逆回転可能に設けられていると共に、押付回転軸の小径軸部における少なくとも基部にナット素体に形成されたねじ孔に螺合するねじ部が形成されていることを特徴とする請求項１記載の袋ナットの穴部閉鎖装置。
【考案の詳細な説明】
【技術分野】
【０００１】  本考案は、袋頭部に残った穴部を閉鎖するための袋ナットの穴部閉鎖装置に関する。
【背景技術】
【０００２】  従来、この種袋ナットの製造方法としては、ねじ下孔を有するナット本体と、そのナット本体の頭部側に一体に連設されかつねじ下孔の谷部よりも大径の内孔を有する中空円筒部とを備えたナット素体を成形し、次に、ねじ下孔にタップ加工を施してねじ孔を形成し、さらに、ナット素体を奥部に湾曲状凹部を有する金型内にパンチにより打ち込んで、先端部に湾曲状凹部に沿い頂部に穴部が残った袋頭部を形成する。その後、袋頭部の穴部を閉鎖するために、袋頭部の頂部内面を先端に湾曲状突部を有する受けポンチにて支持し、その支持状態のもとで湾曲状凹部を備えた回転カシメパンチをナット素体と同軸に回転させながら袋頭部の穴部周り全体を外側から叩きカシメて穴部を閉鎖するようにしたものが知られている。
【特許文献１】  特開２００４−２６１８６１号公報
【考案の開示】
【考案が解決しようとする課題】
【０００３】  ところが、上記した袋頭部に残った穴部の閉鎖手段によれば、湾曲状凹部を備えた回転カシメパンチを回転させながら袋頭部の穴部周り全体を外側から叩き込んでカシメることにより穴部を閉鎖するため、つまり、袋頭部の穴部周りを回転カシメパンチの押圧方向と直交する方向に変形させて穴部を閉鎖するため、回転カシメパンチに大きな押圧力と回転力を必要とするものであった。【０００４】  そこで、本考案は、ナット素体の袋頭部に残った穴部を簡単かつ容易に閉鎖できる袋ナットの穴部閉鎖装置の提供を課題とする。
【課題を解決するための手段】
【０００５】  上記した問題を解決するために、本考案は、袋頭部に残った穴部を閉鎖するための袋ナットの穴部閉鎖装置において、支持部材に穴部が残った袋頭部を有するナット素体をその袋頭部が露出するように支持するナットケースが軸受を介して回転自由に支持されていると共に、ナットケースに支持されたナット素体内に挿抜可能に挿入されかつ先端に袋頭部内面に符合する凸状湾曲面をもつ小径軸部とナット素体の座面に当接する段部をもつ大径軸部とからなる押付回転軸がナットケースの軸芯方向に進退可能に設けられている一方、支持部材に袋頭部における外側面に符合する凹状湾曲成形面を有するバイト体がナットケースから露出した袋頭部の一側外方からその軸芯に向かって垂直状に移動可能に支持され、かつ、バイト体の凹状湾曲成形面を袋頭部の一側外方から少なくともその中心まで移行させる移動手段が備えられた構成となっており、ナット素体が押付回転軸の前進によりナットケースに押し付けられて支持されると共に一体回転され、その回転状態のもとでバイト体が移動手段により袋頭部の一側外方から少なくともその中心まで移行されることにより、凹状湾曲成形面の先端部分と押付回転軸の凸状湾曲部とで袋頭部の穴部が潰されて閉鎖されることを特徴とする。【０００６】  また、請求項２記載の考案は、請求項１記載の押付回転軸の段部とナット素体の座面とのうち、いずれか一方に係合凹所が、他方に係合突部が形成され、これら係合凹所への係合突起へ係合により押付回転軸とナット素体との芯出しが行えながら同時に一体回転可能に結合し得るように構成されていることを特徴とする。【０００７】  さらに、請求項３記載の考案は、請求項１記載の押付回転軸が正逆回転可能に設けられていると共に、押付回転軸の小径軸部における少なくとも基部にナット素体に形成されたねじ孔に螺合するねじ部が形成されていることを特徴とする。
【考案の効果】
【０００８】  本願の請求項１によれば、上記した構成により、ナットケースに支持されたナット素体を押付回転軸によりナットケースに押し付け、かつその押付状態のまま押付回転軸と共にナット素体とナットケースとを一体回転させ、その状態でバイト体を移動手段により袋頭部の一側外方からその中心まで移行させることにより、つまり垂直状に移行させることにより凹状湾曲成形面の先端部分と回転軸体の凸状湾曲部とで袋頭部の穴部周りがへら絞りのように潰されて穴部が閉鎖され、穴部のない袋頭部が形成できる。これにより、袋頭部に穴部がない形状の袋ナットが従来に比べて簡単かつ容易に形成できる。【０００９】  また、本願の請求項２によれば、押付回転軸の段部とナット素体の座面とのうち、いずれか一方に係合凹所が、他方に係合突部が形成され、これら係合凹所への係合突起へ係合により押付回転軸とナット素体との芯出しが行えながら同時に一体回転可能に結合し得るように構成されているので、押付回転軸によりナット素体をナットケースに押し付け支持させたとき、係合凹所と係合突起とによる嵌め合い係合により、押付回転軸とナット素体との芯出しが簡単かつ正確に行えながら両者を確実に一体回転可能に結合できる。【００１０】  さらに、本願の請求項３によれば、押付回転軸が正逆回転可能に設けられていると共に、押付回転軸の小径軸部における基部にナット素体のねじ孔に螺合するねじ部が形成された構成となっているので、座付きの袋ナット以外の場合、つまり座をもたない普通の袋ナットでも、押付回転軸が正回転しながらナット素体側に下降することにより、押付回転軸のねじ部がナット素体のねじ孔に螺合することになり、凸状湾曲面が袋頭部の内面に当接したとき、それ以上の下降が停止されると同時に押付回転軸とナット素体とが一体化し、押付回転軸とナット素体とが共に一体回転することになる。その結果、この一体回転状態のもとでバイト体の移動による穴部の閉鎖作業が良好に行われる。穴部の閉鎖後は押付回転軸が逆回転しながら上昇することによりナット素体から離れることができる。
【考案を実施するための最良の形態】
【００１１】  以下、本考案の実施の形態を図に基づいて説明する。【００１２】  本考案に係る袋ナットの穴部閉鎖装置は、まず、ナット素体１０として、たとえば鋼製で図４に示すような中心部にねじ孔１１ａをまた円形の鍔状座面１１ｂに係合凹部１１ｃ…１１ｃを有する座付きのナット本体１１と、これの上部に一体形成され頂部に穴部１２ａが残った袋頭部１２とを備えたものを用い、このナット素体１０における上記穴部１２ａを閉鎖して図３に示すような穴部のない座付きの袋頭部１２をもつ袋ナットＮを形成するものである。【００１３】  次に、図１はナット素体１０の供給、加熱、穴部閉鎖、検査、取り出し作業が連続的に行えるようにした袋ナットの穴部閉鎖装置１の概略平面図を示す。図１において、２は適宜駆動装置（図示せず）により図１において右回りに一定角度ずつ間歇回転される回転テーブル、３は回転テーブル２上に所定間隔を離して配設された複数（図では６個）の支持部材で、供給工程Ａ位置において支持部材３に備えられた後記するナットケース４にナット素体１０が供給される。ナット素体１０は回転テーブル２の間歇回転により次の加熱工程Ｂに送られ、加熱工程Ｂにて適宜加熱器（図示せず）によりナット素体１０の袋頭部１２の穴部１２ａ周りが部分的に加熱される。加熱されたナット素体１０は回転テーブル２の間歇回転により次の穴部閉鎖工程Ｃに送られ、袋頭部１２の穴部１２ａが閉鎖される。穴部１２ａが閉鎖された袋ナットＮは回転テーブル２の間歇回転により検査工程Ｄに送られ、センサー（図示せず）により穴部１２ａが完全に閉鎖されたかどうかの検査が行われる。検査の済んだ袋ナットＮは自動取出工程Ｅに送られ、上記センサーによる選別結果をもとに良品と不良品に選別されて取り出されるように構成されている。【００１４】  そして、本考案の要旨である穴部閉鎖工程部分における構造は次のように構成されている。つまり、図２及び図３に示すように回転テーブル２上に設けられた支持部材３に、ナット素体１０をその袋頭部１２が下方に露出するように支持するナットケース４がスラストベアリング５を介して回転自由に支持される。ナットケース４の上部には、ナットケース４に支持されたナット素体１０内に挿抜可能に挿入されかつ先端に袋頭部１２内面に符合する凸状湾曲面６１ａをもつ小径軸部６１とナット素体１０の座面１１ｂに当接する段部６２ａをもつ大径軸部６２とからなる押付回転軸６がナットケース４の軸芯方向に進退可能に設けられている。一方、支持部材３側に袋頭部１２における外側面に符合する凹状湾曲成形面７ａを有するバイト体７がナットケース４から露出した袋頭部１２の一側外方からその軸芯に向かって垂直状に移動可能に支持されている。また、バイト体７の凹状湾曲成形面７ａを袋頭部１２の一側外方からその中心まで移行させる移動手段８が設けられている。【００１５】  押付回転軸６の段部６２ａには、ナット素体１０の座面１１ｂに形成された係合凹所１１ｃ…１１ｃと係合する系合突部６２ｂ…６２ｂが形成され、これら係合突起６２ｂ…６２ｂの係合凹所１１ｃ…１１ｃへの係合により押付回転軸６とナット素体１０との芯出しと一体回転可能な結合とが同時に得られるようになされている��バイト体７は、支持部材３と回転テーブル２とで形成されるガイド溝３ａに沿って移動可能に配設され、バイト体７の下部にはローラ７１が設けられていると共に、バイト体７の前面と支持部材３との間には、バイト体７が常時は袋頭部１２から離れた待機位置に位置させるバネ７２が介装されている。なお、押付回転軸６とナット素体１０との芯出しと一体的な結合を得るに際し、押付回転軸６の段部６２ａに係合凹部を、またナット素体１０の座面１１ｂに係合突部を設けてもよいこと勿論である。【００１６】  移動手段８はＬ型の揺動アーム８１と、これを揺動させる昇降レバー８２とを備え、揺動アーム８１はその中間部が支持部材３に枢支され、一端部がバイト体７の側面に設けられた係合ピン７ｂに当接し、他端部が昇降レバー８２の下端に当接して、昇降レバー８２の下降により、図３に示すように揺動アーム８１は下方に揺動され、バイト体７を袋頭部１２側へ移動させるようになされている。昇降レバー８２は例えば押付回転軸６の上下動作に関連して作動するシリンダーなどの適宜駆動手段により昇降されるように設けられている。【００１７】  次に、以上のように構成する袋ナットの穴部閉鎖装置の作用について説明する。【００１８】  まず、供給工程Ａ位置において支持部材３に備えられたナットケース４にナット素体１０が供給される。この供給は手動或いは自動のいずれであってもよい。次に、ナット素体１０は回転テーブル２の間歇回転により次の加熱工程Ｂに送られ、加熱工程Ｂにて適宜加熱器（図示せず）によりナット素体１０の袋頭部１２が部分的に加熱される。この時、袋頭部１２の穴部１２ａ周りが部分的に例えば溶融温度近くまで加熱される。その後、加熱されたナット素体１０は回転テーブル２の間歇回転により次の穴部閉鎖工程Ｃに送られる。【００１９】  そして、穴部閉鎖工程にて次のように袋頭部１２の穴部１２ａが閉鎖される。まず、ナット素体１０が穴部閉鎖工程Ｃに送られて停止すると、押付回転軸６が下降して、ナット素体１０をナットケース４に押し付け、かつ押付回転軸６の回転により該回転軸６と共にナット素体１０とナットケース４を一体回転させる。このとき、押付回転軸６の係合突起６２ｂ…６２ｂとナット素体１０の係合凹所１１ｃ…１１ｃとが係合されて押付回転軸６とナット素体１０との芯出しが行われると共に一体回転が可能となる強固な結合が行われている。次に、移動手段８の昇降レバー８２の下降により揺動レバー８１を介してバイト体７が回転状態にある袋頭部１２の一側外方からその中心まで垂直状に移行される。これにより凹状湾曲成形面７ａの先端部分と回転軸体６の凸状湾曲部６１ａとで袋頭部１２の穴部１２ａ周りがへら絞りのように潰されて穴部１２ａが閉鎖され、穴部１２ａのない袋頭部１２が形成される。その結果、袋頭部１２に穴部１２ａがない形状の座付きの袋ナットＮが従来に比べて簡単かつ容易に形成される。【００２０】  然る後、穴部１２ａが閉鎖された袋ナットＮは回転テーブル２の間歇回転により検査工程Ｄに送られ、センサー（図示せず）により穴部１２ａが完全に閉鎖されたかどうかの検査が行われる。その後、検査の済んだ袋ナットＮは自動取出工程Ｅに送られ、上記センサーによる選別結���をもとに良品と不良品に選別されて取り出されることになる。【００２１】  以上の実施の形態では、ナット素体１０の供給、加熱、穴部閉鎖、検査、取出しが連続的に行えるようにした袋ナットの穴部閉鎖装置１について説明したけれども、穴部１２ａ閉鎖のみが独立して行える機構を備えた構造であってもよいこと勿論である。【００２２】  また、以上の実施の形態では、常温では硬い鋼製のナット素体１０を用いたため、ナット素体１０を加熱してから穴部１２ａの閉鎖処理を行うようにしたけれども、例えば銅などのように比較的成形が容易な柔い材質のものについては加熱工程は不要にできる。【００２３】  さらに、以上の実施の形態では、押付回転軸６の段部６２ａとナット素体１０の座面１１ｂとのうち、いずれか一方に係合凹所を、他方に係合突部を形成し、これら係合凹所への係合突起へ係合により押付回転軸とナット素体との芯出しと一体的な結合が得られるようにしたけれども、この他たとえば押付回転軸６の段部６２ａとナット素体１０の座面１１ｂとのうち、いずれか一方のみ或いは両方に滑り止め機能をもつ構造としてもよい。【００２４】  また、図５は座付きの袋ナット以外の場合、つまり座をもたない普通の袋ナットの場合の実施の形態を示すもので、押付回転軸６が正逆回転可能に設けられていると共に、押付回転軸６の小径軸部６１における基部にナット素体１０のねじ孔１１ａに螺合するねじ部６１ｂが形成された構成となっている。このように押付回転軸６にねじ部６１ｂを形成すれば、押付回転軸６が正回転しながらナット素体１０側に下降する際、押付回転軸６のねじ部６１ｂがナット素体１０のねじ孔１１ａに螺合することになる。そして、凸状湾曲面６１ａが袋頭部１２の内面に当接したとき、それ以上の下降が停止されると同時に押付回転軸６とナット素体１０とが一体化し、押付回転軸６とナット素体１０とが共に一体回転することになる。その後、この一体回転状態のもとでバイト体７の移動による穴部１２ａの閉鎖作業が良好に行われる。なお、加熱器による袋頭部１２の加熱や、バイト体７の移動による穴部の閉鎖、センサーによる検査、自動取り出しなどは、上述の実施の形態のものと同様であるので、同じの符号を付し具体的な構成及び作用の詳細な説明については省略する。また、穴部１２ａの閉鎖が終わったときには、バイト体７の待機位置への移動と共に押付回転軸６が逆回転しながら上昇して、ねじ部６１ｂとねじ孔１１ａとの螺合が解除され押付回転軸６が袋ナットＮから離脱することになる。
【図面の簡単な説明】
【００２５】
【図１】  本考案に係る袋ナットの穴部閉鎖装置の概略平面図である。
【図２】  同袋ナットの穴部閉鎖装置の要部縦断面図である。
【図３】  同穴部閉鎖工程の動作説明図である。
【図４】  ナット素体の縦断面図である。
【図５】  別の実施の形態の穴部閉鎖装置の要部縦断面図である。
【符号の説明】
【００２６】  １        袋ナットの穴部閉鎖装置
３        支持部材
４        ナットケース
５        軸受
６        押付回転軸
７        バイト体
７ａ      凹状湾曲成形面
８        移動手段
１０      ナット素体
１１ａ    ねじ孔
１１ｂ    係合凹部
１２      袋頭部
１２ａ    穴部
６１      小径軸部
６１ａ    凸状湾曲面
６２      大径軸部
６２ａ    段部
６２ｂ    係合突部
Ｎ        袋ナット
【図１】
0003160391.tif 000003
【図２】
0003160391.tif 000004
【図３】
0003160391.tif 000005
【図４】
0003160391.tif 000006
【図５】
0003160391.tif 000007